(57)【要約】【課題】原稿画像を高精度で読み取れる平面走査装置を提供する。【解決手段】原稿台ガラス６１の下面に接触して摺動する位置決め部材２１０ａ，２１０ｂをＣＩＳ２１０の長手方向両端部に固定した。位置決め部材２１０ａは、ＣＩＳ２１０の長手方向一端部に固定されており、摺動性に優れた材質（例えばＰＯＭ（ポリアセタール樹脂））で作製されている。一方、位置決め部材２１０ｂは、ＣＩＳ２１０の長手方向他端部に固定されており、位置決め部材２１０ａの材質よりも摺動性にやや劣る材質（例えばＡＢＳ（アクリロニトリルーブタジエンースチレン））で作製されている。【選択図】　　　図２
2004020979.tif 000002
【特許請求の範囲】
【請求項１】
その上面に原稿が載置される原稿台ガラスの下方で所定の副走査方向に走査する、該副走査方向に直交する長手方向に延びるキャリッジと、前記副走査方向に走査しながら前記原稿台ガラス上の原稿の画像を読み取る、前記キャリッジに搭載されて前記長手方向に延びる読取手段と、
前記副走査方向に延びると共に前記キャリッジを前記副走査方向に案内する、前記キャリッジの長手方向中央部が移動自在に取り付けられたガイド軸と、
前記読取手段から前記原稿台ガラスまでの距離が一定に保たれるように前記原稿台ガラスの下面に接触して前記読取手段の位置を決める、前記読取手段に固定された位置決め部材とを備えた平面走査装置において、
前記位置決め部材は、
前記読取手段の長手方向一端部に固定された第１位置決め部材と、
前記ガイド軸を挟んで前記長手方向一端部とは反対側の長手方向他端部に固定された第２位置決め部材とを有するものであり、
前記原稿台ガラスの下面に対する前記第１位置決め部材の摺動抵抗は、前記原稿台ガラスの下面に対する前記第２位置決め部材の摺動抵抗とは異なるものであることを特徴とする平面走査装置。
【請求項２】
前記第１位置決め部材及び前記第２位置決め部材は、
これらの部材のうち前記原稿台ガラスの下面に接触する部分の形状を互いに異ならせることにより前記摺動抵抗を互いに異ならせたものであることを特徴とする請求項１に記載の平面走査装置。
【請求項３】
前記第１位置決め部材及び前記第２位置決め部材は、
これらの部材の材質を互いに異ならせることにより前記摺動抵抗を互いに異ならせたものであることを特徴とする請求項１に記載の平面走査装置。
【請求項４】
請求項１から３までのうちのいずれか一項に記載の平面走査装置を備え、この平面走査装置で読み取った原稿画像を記録媒体に形成することを特徴とする画像形成装置。
【発明の詳細な説明】
【０００１】
【発明の属する技術分野】
本発明は、原稿に記録された画像（原稿画像）を読み取る平面走査装置及びこの平面走査装置を備えた画像形成装置に関する。
【０００２】
【従来の技術】
従来から、原稿に記録された画像を読み取り、この読み取った原稿画像を記録紙などの記録媒体に形成する画像形成装置が使用されている。原稿画像を読み取るものとしては、通常、平面走査装置が使用されている。
【０００３】
平面走査装置は、例えば、原稿台ガラスの上面（表面）に原稿を載置しておき、原稿台ガラスの下面（裏面）に沿ってコンタクトイメージセンサ（ＣＩＳ）を所定の走査方向に走査させながら原稿画像を読み取るものである。この平面走査装置について、図４を参照して説明する。
【０００４】
図４は、従来の平面走査装置の概略構成を示す上視図である。
【０００５】
平面走査装置１０は、ＣＩＳ１３を搭載して副走査方向（矢印Ｂ方向）に走査するキャリッジ１２と、キャリッジ１２を副走査方向に案内するガイド軸１４と、キャリッジ１２が走査する走査範囲のうち副走査方向の両端部の近傍それぞれに配置されたアイドラプーリー１６及び駆動プーリー１８と、これらプーリー１６，１８に掛け渡されて副走査方向に移動することによりキャリッジ１２を走査させる無端状のベルト２０とを備えている。キャリッジ１２は、ベルト２０に固定されると共に、ガイド軸１４には移動自在に固定されている。
【０００６】
ベルト２０は、駆動モータ２２の回転力（駆動力）によって矢印Ｂ方向及びその反対方向に移動する。駆動モータ２２の回転力はプーリーギア２４、アイドラギア２６を介して駆動プーリー１８に伝達される。また、ベルト２０には、駆動モータ２２の回転力や回転数を正確に伝えるために一定の張力を作用させている。このような張力を得るために、平面走査装置１０を組み立てる際には、アイドラプーリー１６をアイドラプーリー支持台２８に固定しておき、このアイドラプーリー支持台２８を矢印Ｂ方向に所定の力で引っ張った状態でガイド軸１４に固定する。
【０００７】
ＣＩＳ１３の長手方向（矢印Ｂ方向に直交する方向）両端部にはそれぞれ、ＣＩＳ１３と原稿台ガラスの下面との距離を一定に保つための位置決め部材３０，３０が固定されている。これらの位置決め部材３０，３０は、キャリッジ１２が走査中は常に原稿台ガラスの下面に接触して摺動している。原稿台ガラスの下面に対する位置決め部材３０，３０の摺動抵抗が大きいほど、駆動力の大きな駆動モータ２２が必要になる。また、キャリッジ１２が何度も繰り返して走査することにより位置決め部材３０，３０が摩耗することもあり、この場合、ＣＩＳ１３と原稿台ガラスの下面との距離が一定に保たれないおそれがある。この距離が一定に保たれなくなった場合、ＣＩＳ１３の焦点がずれて読み取った画像がピンぼけする。
【０００８】
そこで、位置決め部材３０，３０を、ＰＯＭ（ポリアセタール樹脂）やポリオレフィンなど摺動抵抗の低い材質で作製することがおおい。
【０００９】
【発明が解決しようとする課題】
ところが、原稿台ガラスの下面の状態（表面粗度など）にばらつきが生じていることがあり、この場合、キャリッジ１２の走査中に位置決め部材３０，３０の摺動抵抗が変動することがある。この変動に起因して、キャリッジ１２の長手方向両端部において原稿台ガラスの下面に対する摺動抵抗がばらつくので、走査中のキャリッジ１２が不安定な挙動をする。この結果、ＣＩＳ１３も不安定な挙動をすることとなり、原稿画像を読み取る際の精度が低下するおそれがある。
【００１０】
本発明は、上記事情に鑑み、原稿画像を高精度で読み取れる平面走査装置及びこの平面走査装置を備えた画像形成装置を提供することを目的とする。
【００１１】
【課題を解決するための手段】
上記目的を達成するための本発明の平面走査装置は、その上面に原稿が載置される原稿台ガラスの下方で所定の副走査方向に走査する、該副走査方向に直交する長手方向に延びるキャリッジと、前記副走査方向に走査しながら前記原稿台ガラス上の原稿の画像を読み取る、前記キャリッジに搭載されて前記長手方向に延びる読取手段と、前記副走査方向に延びると共に前記キャリッジを前記副走査方向に案内する、前記キャリッジの長手方向中央部が移動自在に取り付けられたガイド軸と、前記読取手段から前記原稿台ガラスまでの距離が一定に保たれるように前記原稿台ガラスの下面に接触して前記読取手段の位置を決める、前記読取手段に固定された位置決め部材とを備えた平面走査装置において、
（１）前記位置決め部材は、
（１−１）前記読取手段の長手方向一端部に固定された第１位置決め部材と、
（１−２）前記ガイド軸を挟んで前記長手方向一端部とは反対側の長手方向他端部に固定された第２位置決め部材とを有するものであり、
（２）前記原稿台ガラスの下面に対する前記第１位置決め部材の摺動抵抗は、前記原稿台ガラスの下面に対する前記第２位置決め部材の摺動抵抗とは異なるものであることを特徴とするものである。
【００１２】
ここで、
（３）前記第１位置決め部材及び前記第２位置決め部材は、これらの部材のうち前記原稿台ガラスの下面に接触する部分の形状を互いに異ならせることにより前記摺動抵抗を互いに異ならせたものであってもよい。
【００１３】
さらに、
（４）前記第１位置決め部材及び前記第２位置決め部材は、これらの部材の材質を互いに異ならせることにより前記摺動抵抗を互いに異ならせたものであってもよい。
【００１４】
また、上記目的を達成するための本発明の画像形成装置は、
（５）上記した平面走査装置を備え、この平面走査装置で読み取った原稿画像を記録媒体に形成することを特徴とするものである。
【００１５】
【発明の実施の形態】
図１を参照して本発明の実施形態を説明する。
【００１６】
図１は、本発明の平面走査装置を備えた画像形成装置の内部構造を示す模式図である。
【００１７】
デジタル複写機５０（本発明にいう画像形成装置の一例である）は、原稿に記録された画像を読み取るための複数の部品が組み込まれた第１筐体６０と、画像を記録媒体に形成するための複数の部品が組み込まれた第２筐体１００とを有する。第２筐体１００は、図に示すように、第１筐体６０の下に配置されている。従って、第１筐体６０は第２筐体１００に載置されていることとなる。
【００１８】
複写機５０の頂面には開閉自在な直方体状の原稿圧着板６２が配置されている。原稿圧着板６２の下には、平面走査装置２００（図２参照）が組み込まれた光学用筐体６４が配置されている。平面走査装置２００には光源ＬＥＤ（図示せず）などが備えられている。光学用筐体６４の上面（上壁）は、原稿が載置される原稿台ガラス６１である。原稿圧着板６２と光学用筐体６４によって、第１筐体６０が構成されている。
【００１９】
原稿台ガラス６１のうち感光ドラム１１２を挟んで定着器１２６とは反対の側の一端部には、原稿の画像が読み取られる画像読取領域８２が形成されている。また、画像読取領域８２よりもやや矢印Ｂ方向下流側には、画像読取領域８２に搬送されてきた原稿を排紙トレイ８６に案内する搬送ガイド台９５が形成されている。搬送ガイド台９５は、矢印Ａ，Ｂ方向に直交する方向に延びる細長いものである。一方、原稿台ガラス６１のうち、搬送ガイド台９５が形成された一端部とは反対側の他端部には、原稿台ガラス６１に載置される原稿が突き当てられる突当板６７が形成されている。この突当板６７は、矢印Ａ，Ｂ方向に直交する方向に延びる細長いものである。
【００２０】
原稿圧着板６２には、原稿を自動的に給紙する原稿自動搬送装置８０が組み込まれている。この原稿自動搬送装置８０については後述する。
【００２１】
第２筐体１００のうち、第１筐体６０よりも手前側（正面側）には、複写枚数などが入力される操作パネル（図示せず）が配置されている。第２筐体１００の下部には、複数枚のカット紙が収容されるカセット１０４が第２筐体１００に出し入れ自在に備えられている。第２筐体１００の右側壁には、葉書などの小サイズの記録紙を給紙できる矩形状の手差しトレイ１０６が備えられている。この手差しトレイ１０６は、下辺部１０６ａを中心にして矢印Ｃ方向に回動し、記録媒体を載置できる位置まで開く。また、第２筐体１００の左側部分には空間が形成されており、排出された記録紙が積載される排紙トレイ１０８が形成されている。
【００２２】
複写機５０では、原稿に記録された画像を記録媒体に形成する際に、原稿固定走査モード及び画像流し読み走査モードを選択できる。原稿固定走査モードとは、原稿台ガラス６１に原稿を載置しておき、ＣＩＳ２１０（本発明にいう読取手段の一例である）等を原稿台ガラス６１の下方で矢印Ｂ方向（走査方向）に走査させながら原稿の画像を読み取るモードである。一方、画像流し読み走査モードとは、画像読取領域８２の下方にＣＩＳ２１０を静止させておき、原稿自動搬送装置８０で画像読取領域８２に原稿を搬送しながらＣＩＳ２１０を用いてこの原稿の画像を画像読取領域８２で読み取るモードである。
【００２３】
原稿固定走査モードを選択した場合は、先ず原稿圧着板６２を開き、原稿台ガラス６１の上面に原稿を載置して突当板６７に突き当てることにより位置決めし、この原稿を原稿圧着板６２で押さえて固定する。次に、所定の操作ボタン等を押すことにより、ＬＥＤ光源から導光体（図示せず）によって導かれた光が原稿を照射すると共に、光学用筐体６４に組み込まれたＣＩＳ２１０が二点鎖線で示す位置から矢印Ｂ方向に走査する。このＣＩＳ２１０によって、原稿に記録された画像が読み取られる。読み取られた画像はデジタル信号に変換され、このデジタル信号はレーザスキャナ１１０に送信される。なお、原稿台ガラス６１は、光学用筐体６４に形成された矩形状の原稿台フレーム６３に固定されている。
【００２４】
原稿自動搬送装置８０には、原稿が載置される原稿載置トレイ８４や、画像読取領域８２を通過した原稿が載置される原稿排紙トレイ８６などが形成されている。さらに、原稿自動搬送装置８０には、原稿載置トレイ８４に載置された原稿を、画像読取領域８２を通過させて原稿排紙トレイ８６まで搬送する複数のローラ（給紙ローラ９０やレジストローラ対９２など）が組み込まれている。
【００２５】
原稿載置トレイ８４に載置された原稿は給紙口９０ａから給紙ローラ９０によって分離ローラ９１に搬送され、さらに、レジストローラ対９２に搬送されて斜行を矯正される。斜行を矯正された原稿は、レジストローラ対９２によってプラテンローラ９４まで搬送されて画像読取領域８２を通過する。
【００２６】
画像読取領域８２の下方にはＣＩＳ２１０が静止しており、画像読取領域８２を通過する原稿は、ＬＥＤ（図示せず）に照明されてＣＩＳ２１０に読み取られる。読み取られた画像はデジタル信号に変換され、このデジタル信号はレーザスキャナ１１０に送信される。
【００２７】
画像読取領域８２を通過した原稿は搬送ガイド台９５によって搬送ローラ９６に案内される。搬送ローラ９６は原稿を反転させながら排紙ローラ９８まで搬送する。排紙ローラ９８に搬送された原稿は、この排紙ローラ９８によって原稿排紙トレイ８６に排出される。
【００２８】
上述したように複写機５０では、画像流し読み走査モード及び原稿固定走査モードのいずれであっても、読み取られた原稿の画像はデジタル信号に変換され、このデジタル信号はレーザスキャナ１１０に送信される。レーザスキャナ１１０に送信された信号はレーザ光に変換されて、このレーザ光は、高速で回転するスキャナミラー１１０ａ、折り返しミラー１１０ｂを経由して感光ドラム１１２に照射される。感光ドラム１１２は帯電ローラ１１１によって一様に帯電されており、レーザ光が照射された感光ドラム１１２には静電潜像が形成される。この静電潜像は現像ローラ１１４から供給された現像剤で現像されて現像像が形成される。
【００２９】
一方、カセット１０４からは記録紙などの記録媒体が給紙ローラ１１６によって矢印Ｄ方向（給紙方向）に給紙され、搬送ローラ１１８とレジストローラ１２０によって転写ローラ１２２に搬送される。転写ローラ１２２では、搬送されてきた記録媒体に感光ドラム１１２の現像像が転写される。現像像が転写された記録媒体は搬送装置１２４によって定着器１２６に搬送される。定着器１２６には加熱ローラ１２６ａと加圧ローラ１２６ｂが配置されており、これら２つのローラ１２６ａ，１２６ｂに記録媒体が挟まれながら搬送されて、現像像が記録媒体に定着される。このようにして現像像が定着された記録媒体は排紙ローラ１２８によって排出されて排紙トレイ１０８に積載される。
【００３０】
なお、手差しトレイ１０６から記録媒体を給紙することもでき、手差しトレイ１０６から給紙された記録媒体に画像が形成される手順も上記と同じである。また、複写機５０には、各種部品を駆動するための電源及び電気部品が装着された電装基板１２９も内蔵されている。
【００３１】
上述したように複写機５０には種々の部品や部材が組み込まれている。これらの部品のうち、帯電ローラ１１１、感光ドラム１１２、及び現像ローラ１１４などはプロセスカートリッジ１３０に組み込まれている。このプロセスカートリッジ１３０は複写機５０に着脱自在に装着されている。
【００３２】
図２と図３を参照して、光学用筐体６４に組み込まれた平面走査装置２００について説明する。
【００３３】
図２は、平面走査装置を示す上視図である。図３は、図２の平面走査装置を拡大して示す上視図である。
【００３４】
平面走査装置２００は、上記したＣＩＳ２１０が搭載されたキャリッジ２５０を備えている。キャリッジ２５０は、原稿台ガラス６１の下方において矢印Ａ，Ｂ方向に移動する。キャリッジ２５０が矢印Ｂ方向（副走査方向）に移動（走査）する際に、ＣＩＳ２１０が原稿画像を読み取る。なお、ＣＩＳ２１０が読み取った画像を担持する信号はフレキシブルケーブル２１１を経由して本体に送信される。
【００３５】
また、平面走査装置２００には、キャリッジ２５０を副走査方向に案内するガイド軸２０６が配置されている。このガイド軸２０６は副走査方向に延びており、その長手方向（副走査方向であり、矢印Ａ，Ｂ方向）両端部の近傍には、それぞれ、駆動プーリー２１２とアイドラプーリー（従動プーリー）２１４が配置されている。これら２つのプーリー２１２，２１４には、キャリッジ２５０が固定された無端状のベルト２１６が掛け渡されている。ベルト２１６が矢印Ａ，Ｂ方向に移動する（往復動）ことにより、キャリッジ２５０と共にＣＩＳ２１０も矢印Ａ，Ｂ方向に移動する。
【００３６】
駆動プーリー２１２は駆動モータ２４０の回転力（駆動力）によって回転し、この回転に伴ってベルト２１６が矢印Ａ，Ｂ方向に移動する。駆動モータ２４０の回転力は、モータベルト２４１、プーリーギア２４２、及びアイドラギア２４４を介して駆動プーリー２１２に伝達される。
【００３７】
アイドラプーリー２１４は、プーリー支持台２１８の一端部に回転自在に固定されている。プーリー支持台２１８は、走査方向にほぼ直交する方向に延びたものであり、アイドラプーリー２１４が固定された位置からガイド軸２０６を超えて反対側にまで延びている。なお、アイドラプーリー２１４は、プーリー支持台２１８の長手方向一端部に固定されている。
【００３８】
また、プーリー支持台２１８の中央部は、図３の紙面の裏面側から段ビス２２０によってガイド軸２０６に回動自在に固定されている。プーリー支持台２１８の長手方向他端部には、引張りコイルばね２２２の一端２２２ａが取り付けられている。この引張コイルばね２２２の他端２２２ｂは、ガイド軸２０６に固定された固定板２２４に取り付けられている。従って、引張りコイルばね２２２の引張力（付勢力）がプーリー支持台２１８の他端部を矢印Ａ方向に引っ張り、これにより、プーリー支持台２１８が段ビス２２０を中心にして、図３における時計方向に回動し、従って、アイドラプーリー２１４が駆動プーリー２１２から遠ざかるように付勢される。この結果、ベルト２１６には、引張りコイルばね２２２の引張力に応じた張力が作用する。
【００３９】
上記したキャリッジ２５０は、副走査方向に直交する長手方向に延びる細長いものである。キャリッジ２５０にはＣＩＳ２１０が搭載されており、ＣＩＳ２１０はキャリッジ２５０の長手方向に延びている。従って、ＣＩＳ２１０も細長い形状である。キャリッジ２５０の長手方向中央部は、矢印Ａ，Ｂ方向に移動自在にガイド軸２０６に取り付けられている。キャリッジ２５０の長手方向中央部の位置はＣＩＳ２１０の長手方向中央部に相当する。このため、ＣＩＳ２１０の長手方向中央部はガイド軸２０６の真上に位置している。
【００４０】
キャリッジ２５０には、ＣＩＳ２１０を原稿台ガラス６１に向けて付勢する押圧ばね（図示せず）が配置されている。また、ＣＩＳ２１０の長手方向両端部には、このＣＩＳ２１０から原稿台ガラス６１の下面までの距離を一定に保つための位置決め部材２１０ａ，２１０ｂが固定されている。位置決め部材２１０ａ，２１０ｂは原稿台ガラス６１の下面に接触している。このため、キャリッジ２５０とＣＩＳ２１０が副走査方向に走査するに伴って位置決め部材２１０ａ，２１０ｂは原稿台ガラス６１の下面を摺動する。
【００４１】
位置決め部材２１０ａ（本発明にいう第１位置決め部材の一例である）は、ＣＩＳ２１０の長手方向一端部に固定されている。位置決め部材２１０ｂ（本発明にいう第２位置決め部材の一例である）は、ＣＩＳ２１０の長手方向他端部に固定されている。位置決め部材２１０ａは、摺動性に優れた材質（例えばＰＯＭ（ポリアセタール樹脂））で作製されており、一方、位置決め部材２１０ｂは、位置決め部材２１０ａの材質よりも摺動性にやや劣る材質（例えばＡＢＳ（アクリロニトリルーブタジエンースチレン））で作製されている。
【００４２】
従って、位置決め部材２１０ａ，２１０ｂが原稿台ガラス６１の下面を摺動する際は、位置決め部材２１０ａの摺動抵抗が位置決め部材２１０ｂの摺動抵抗よりも小さくなる。即ち、位置決め部材２１０ａの摺動抵抗＜位置決め部材２１０ｂの摺動抵抗となる。
【００４３】
このように位置決め部材２１０ａ，２１０ｂの摺動抵抗が互いに異なるので、キャリッジ２５０が矢印Ｂ方向に移動するときは、図２に紙面の上から（原稿台ガラス６１の上面側から）見て、キャリッジ２５０の長手方向中央部を中心にして反時計方向（矢印Ｅ方向）のモーメントがキャリッジ２５０に作用する。従って、原稿台ガラス６１の下面の状態（表面粗度など）に多少のばらつきがあっても、キャリッジ２５０が走査中に第１位置決め部材２１０ａ及び第２位置決め部材２１０ｂ双方の摺動抵抗の大小は変わらないので、ＣＩＳ２１０が不安定に挙動することも無い。このため、平面走査装置２００では、上記の摺動抵抗の変動に起因する画像ぶれが防止されて、原稿画像を高精度で読み取れる。この結果、複写機５０では、高品質な画像を記録媒体に形成できる。なお、キャリッジ２５０が矢印Ａ方向に移動するときは、上記とは逆のモーメントがキャリッジ２５０に作用する。
【００４４】
上記した例では、２つの位置決め部材２１０ａ，２１０ｂの材質を互いに異ならせることにより、２つの位置決め部材２１０ａ，２１０ｂの摺動抵抗を互いに異ならせたが、各位置決め部材２１０ａ，２１０ｂのうち原稿台ガラス６１の下面に接触する部分の形状を互いに異ならせることにより、位置決め部材２１０ａ，２１０ｂの摺動抵抗を互いに異ならせてもよい。また、ＣＩＳ２１０の長手方向両端部における位置決め部材の数を変えることにより、ＣＩＳ２１０の長手方向両端部における摺動抵抗を互いに異ならせてもよい。
【００４５】
【発明の効果】
以上説明したように本発明の平面走査装置では、原稿台ガラスの下面に対する第１位置決め部材及び第２位置決め部材双方の摺動抵抗が互いに異なるので、キャリッジが副走査方向に走査する際には、第１位置決め部材及び第２位置決め部材双方のうちのいずれかの位置決め部材は原稿台ガラスの下面に対して他方の位置決め部材よりも大きな摺動抵抗を生じる。従って、原稿台ガラスの下面の状態（表面粗度など）に多少のばらつきがあっても、第１位置決め部材及び第２位置決め部材双方の摺動抵抗の大小は変わらない。この結果、読取手段が不安定に挙動することも無い。このため、本発明の平面走査装置では、上記の摺動抵抗の変動に起因する画像ぶれが防止されて、原稿画像を高精度で読み取れる。
【００４６】
ここで、前記第１位置決め部材及び前記第２位置決め部材は、これらの部材のうち前記原稿台ガラスの下面に接触する部分の形状を互いに異ならせることにより前記摺動抵抗を互いに異ならせたものである場合は、簡易な構成で摺動抵抗を互いに異ならせることができる。
【００４７】
また、前記第１位置決め部材及び前記第２位置決め部材は、これらの部材の材質を互いに異ならせることにより前記摺動抵抗を互いに異ならせたものである場合は、簡易な構成で摺動抵抗を互いに異ならせることができる。
【００４８】
また、本発明の画像形成装置によれば、原稿画像を高精度で読み取れるので、高品質な画像を記録媒体に形成できる。
【図面の簡単な説明】
【図１】本発明の平面走査装置を備えた画像形成装置の内部構造を示す模式図である。
【図２】平面走査装置を示す上視図である。
【図３】図２の平面走査装置を拡大して示す上視図である。
【図４】従来の平面走査装置の概略構成を示す上視図である。
【符号の説明】
５０　複写機
６１　原稿台ガラス
２１０　ＣＩＳ
２５０　キャリッジ
２１０ａ，２１０ｂ　位置決め部材
【図１】
2004020979.tif 000003
【図２】
2004020979.tif 000004
【図３】
2004020979.tif 000005
【図４】
2004020979.tif 000006